(57)【要約】【課題】  簡易な構成でレンズを容易に対象物の方に向けることができると共に、視野を明るくして見やすくすることができ、使い勝手を向上させることができる人形型ルーペを提供する。【解決手段】  簡易な構成で且つ親しみ易い外見の人形型で、人形の頭部１０にレンズ２２を設け、首部１２にＬＥＤライト４を設け、本体１の内部に薄い金属板８が埋め込まれており、胴体部１３を曲げ伸ばし可能としてレンズ２２の向きを調整できる人形型ルーペとしている。【選択図】        図１
0003191971.tif 000002
【実用新案登録請求の範囲】
【請求項１】
人形型のルーペであって、
レンズを有する頭部と、ＬＥＤライトを有する首部と、胴体部と、腕部と、脚部と、足部とを備え、
前記レンズの向きが調整可能となるよう、少なくとも胴体部が曲げ伸ばし可能であることを特徴とする人形型ルーペ。
【請求項２】
左右の腕部、脚部がそれぞれ独立に曲げ伸ばし可能であることを特徴とする請求項１記載の人形型ルーペ。
【請求項３】
足部の底面部に磁石が設けられたことを特徴とする請求項１又は２記載の人形型ルーペ。
【請求項４】
レンズとＬＥＤライトとがレンズユニットとして構成され、
前記レンズユニットは、前記レンズを保持する枠部と、前記枠部に接続する柄部とを備え、
前記柄部には前記ＬＥＤライトと、電池と、スイッチ回路とが設けられ、
首部に、前記柄部が挿入される挿入口が設けられたことを特徴とする請求項１乃至３のいずれか記載の人形型ルーペ。
【請求項５】
胴体部、腕部、脚部の内部に曲げ伸ばし可能な金属板が埋め込まれていることを特徴とする請求項１乃至４のいずれか記載の人形型ルーペ。
【請求項６】
頭部にはめ込まれ、レンズの片面を覆うカバーを備えたことを特徴とする請求項１乃至５のいずれか記載の人形型ルーペ。
【考案の詳細な説明】
【技術分野】
【０００１】
本考案は、人形型の携帯用ルーペに係り、特に、簡易な構成でレンズを容易に対象物の方に向けることができると共に、視野を明るくして見やすくすることができ、使い勝手を向上させることができる人形型ルーペに関する。
【背景技術】
【０００２】
［先行技術の説明］
従来、ルーペに関する技術としては、特許第５３１９００４号公報「スタンド付きルーペ」（株式会社エンジニア、特許文献１）、特開２００１−１５９７３７号公報「照明灯付きルーペ」（大日向和弘、特許文献２）等があった。
【０００３】
特許文献１には、ルーペ本体とスタンドとを備え、ルーペ本体とスタンドとは関節によって変形可能なアームによって接続され、また、スタンドには磁石が設けられており、磁性金属材に吸着固定させて、ルーペ本体を任意の位置に保持して、ハンズフリーな状態で作業可能とするスタンド付きルーペが記載されている。
【０００４】
また、特許文献２には、ルーペ本体と柄部とを備え、ルーペ本体の付け根部分に相当する柄部に、白色発光ダイオードを設けた照明灯付きルーペが記載されている。
【先行技術文献】
【特許文献】
【０００５】
【特許文献１】特許第５３１９００４号公報
【特許文献２】特開２００１−１５９７３７号公報
【考案の概要】
【考案が解決しようとする課題】
【０００６】
しかしながら、従来のルーペでは、簡易な構成でレンズを容易に対象物の方に向けることができると共に、視野を明るく照らすことができるルーペは実現されていないという問題点があった。
【０００７】
本考案は上記実状に鑑みて為されたもので、簡易な構成でレンズを容易に対象物の方に向けることができると共に、視野を明るくして見やすくすることができ、使い勝手を向上させることができる人形型ルーペを提供することを目的とする。
【課題を解決するための手段】
【０００８】
上記従来例の問題点を解決するための本考案は、人形型のルーペであって、レンズを有する頭部と、ＬＥＤライトを有する首部と、胴体部と、腕部と、脚部と、足部とを備え、レンズの向きが調整可能となるよう、少なくとも胴体部が曲げ伸ばし可能であることを特徴としている。
【０００９】
また、本考案は、上記人形型ルーペにおいて、左右の腕部、脚部がそれぞれ独立に曲げ伸ばし可能であることを特徴としている。
【００１０】
また、本考案は、上記人形型ルーペにおいて、足部の底面部に磁石が設けられたことを特徴としている。
【００１１】
また、本考案は、上記人形型ルーペにおいて、レンズとＬＥＤライトとがレンズユニットとして構成され、レンズユニットは、レンズを保持する枠部と、枠部に接続する柄部とを備え、柄部にはＬＥＤライトと、電池と、スイッチ回路とが設けられ、首部に、柄部が挿入される挿入口が設けられたことを特徴としている。
【００１２】
また、本考案は、上記人形型ルーペにおいて、胴体部、腕部、脚部の内部に曲げ伸ばし可能な金属板が埋め込まれていることを特徴としている。
【００１３】
また、本考案は、頭部にはめ込まれ、レンズの片面を覆うカバーを備えたことを特徴としている。
【考案の効果】
【００１４】
本考案によれば、人形型のルーペであって、レンズを有する頭部と、ＬＥＤライトを有する首部と、胴体部と、腕部と、脚部と、足部とを備え、レンズの向きが調整可能となるよう、少なくとも胴体部が曲げ伸ばし可能である人形型ルーペとしているので、簡易な構成でレンズを容易に対象物の方に向けることができると共に、視野を明るくして見やすくすることができ、使い勝手を向上させることができる効果がある。
【００１５】
また、本考案によれば、左右の腕部、脚部がそれぞれ独立に曲げ伸ばし可能である上記人形型ルーペとしているので、手足を自在に変形させて、ルーペ以外の用途にも用いることができ、利便性を向上させることができる効果がある。
【図面の簡単な説明】
【００１６】
【図１】（ａ）は、本考案の実施の形態に係る人形型ルーペの構成を示す正面図であり、（ｂ）は、カバーを装着した状態を示す説明図である。
【図２】カバー装着方法を示す説明図である。
【図３】電池交換方法を示す説明図である。
【図４】本ルーペの使用例を示す説明図である。
【図５】カバー９の表面のデザイン例を示す図である。
【考案を実施するための形態】
【００１７】
本考案の実施の形態について図面を参照しながら説明する。
［実施の形態の概要］
本考案の実施の形態に係る人形型ルーペは、レンズを有する頭部と、ＬＥＤ（Light Emitting Diode）ライトを有する首部と、胴体部と、腕部と、脚部と、足部とを備えており、レンズの向きが調整可能となるよう、胴体部が曲げ伸ばし可能なものであり、簡易な構成で、レンズを容易に対象物の方に向けて用いることができると共に視野を明るくして見やすくすることができ、また、ユーモラスなデザインでユーザにとって親しみ易いものである。
【００１８】
また、本考案の実施の形態に係る人形型ルーペは、左右の腕部及び脚部がそれぞれ独立に曲げ伸ばし可能な構成としており、手足を自在に変形させて、ルーペ以外の多様な用途に適用でき、利便性を向上させることができるものである。
【００１９】
［実施の形態に係る人形型ルーペの構成：図１］
実施の形態に係る人形型ルーペの構成について図１を用いて説明する。図１（ａ）は、本考案の実施の形態に係る人形型ルーペの構成を示す正面図であり、（ｂ）は、カバーを装着した状態を示す説明図である。
図１（ａ）に示すように、本考案の実施の形態に係る人形型ルーペ（本ルーペ）は、主として、人形の形状をした樹脂製の本体１と、ルーペのレンズ２２及びＬＥＤライト４を備えたレンズユニット２とを備えており、本体１にレンズユニット２がはめ込まれて固定された構成となっている。
そして、人形の顔に相当する部分がレンズ２２となっており、首の中央にＬＥＤライト４が設けられた形状である。
尚、ＬＥＤライト４は、レンズ２２の周辺に設ければよいので、首ではなく頭部に１つ又は複数設けてもよいし、首と頭部の両方に設けてもよい。
【００２０】
ＬＥＤライト４を点灯させて利用する場合には、ユーザは、図１（ａ）の裏面側（ＬＥＤライト４が設けられた面の裏側）から、レンズ越しに対象物を見ることにより、視野が明るくなって見やすくなるものである。
更に、本体１は曲げ伸ばし可能に形成されているため、レンズ２２の方向を容易に調整することが可能となっている。
【００２１】
各部について具体的に説明する。
［本体１：図１（ａ）］
本体１は、シリコン樹脂等の曲げ伸ばし可能な素材で人形の形状に形成されており、頭部１０と、首部１２と、胴体部１３と、腕部１４ａ，１４ｂと、脚部１５ａ，１５ｂと、足部１６ａ，１６ｂとを備えている。本体１の樹脂で形成された部分を「シリコンボディ」と称する。
【００２２】
頭部１０の内側の顔に相当する部分には、レンズユニット２のレンズ２２がはめ込まれるレンズ窓１１が形成されている。また、図示は省略するが、首部１２には、ＬＥＤライト４を露出させるための窓が形成されている。
更に、本体１の首部１２には、レンズユニット２の一部が挿入される挿入口が形成されている。
【００２３】
そして、本体１の胴体部１３と、腕部１４ａ，１４ｂと、脚部１５ａ，１５ｂの内部には、曲げ伸ばし可能な薄い金属板８が芯として埋め込まれている。金属板８は、後述するレンズユニット２が挿入される首部１２及び頭部１０には設けられていない。
金属板８を設けることにより、人形の胴体や腕及び脚を小さい力でも自在に曲げ伸ばし可能とすると共に、本体の強度を高め、更に自在に変形させた形状（姿勢）を保持することができるものである。
金属板８は、アルミニウム等の変形可能な軽い金属で形成されている。
【００２４】
これにより、胴体部１３を曲げ伸ばしたりすることにより、レンズ２２及びＬＥＤライト４の向きを容易に変えることができるものである。
本ルーペでは、複雑で機械的な構成ではなく、ユーモラスで簡易な人形の形状で、胴体を曲げ伸ばしするだけで簡単にレンズ２２の向きを変えることができるようにしている。
【００２５】
また、本ルーペの本体１は、胴体部１３と腕部１４ａ，１４ｂとの間や、左右の脚部１５ａ，１５ｂの間に隙間が形成されており、腕部１４ａ，１４ｂ，脚部１５ａ，１５ｂをそれぞれ独立して曲げ伸ばし可能としている。
【００２６】
更に、本体１の足部１６ａ，１６ｂは、脚部１５ａ，１５ｂの先端部分に前方に突出して設けられ、足のような形状に形成されている。
そして、足部１６ａ，１６ｂの底面（足の裏に相当する部分）には、マグネット７が設けられている。マグネット７は、厚み（高さ）部分が本体１の足部１６ａ，１６ｂに埋め込まれて固定されており、足の裏は全体として平らになるよう形成されている。
【００２７】
これにより、本ルーペは、スチール面等の磁性金属表面に磁力で張り付いて、支えがなくても自立することができるものである。
マグネット７は、ネオジムマグネット等で構成され、強力な磁石である。
更に、マグネット７を十分な大きさとし、足部１６ａ，１６ｂの樹脂部分とマグネット７との境界部分を平らに形成することにより、磁性金属面上で本ルーペを安定して自立させることができ、ユーザは両手をルーペから離したハンズフリー状態で作業を行うことができるものである。
また、本ルーペを横向きや逆さ等様々な姿勢で固定することができるものである。
【００２８】
また、本体１の背面側（ＬＥＤライト４が設けられた面の裏側）には、ＬＥＤライト４のオン／オフを切り替えるスイッチボタンが形成されている。スイッチボタンは、本体１と同一の素材で凸状の形状に形成されている。スイッチボタンを押下する度に、後述するレンズユニット２に設けられたスイッチのオン／オフが切り替えられる。
【００２９】
更に、本体１の背面側の胴体部には、カバー９の鼻部分を挿入するための凹部が設けられている。
これは、カバー９を外した場合に、本体１にカバー９を取り付けて一体として持ち運べるようにするものであり、外したカバー９の紛失を防ぐものである。
【００３０】
［レンズユニット２：図１（ａ）］
レンズユニット２は、本体部分が、変形しにくいＡＢＳ（Acrylonitrile Butadiene Styrene copolymer）樹脂等で形成された枠部２１及び柄部２３とから構成され、更に、レンズ２２と、ＬＥＤライト４と、電池５と、スイッチ６とが設けられている。
枠部２１は、レンズ２２を保持するものであり、円形に形成され、レンズ２２の外周縁を押さえ込んでいる。
柄部２３は、枠部２１に接続し、本体１の首部１２に挿入される部分である。
【００３１】
枠部２１に設けられた窓には、レンズ２２がはめ込まれて固定されている。
レンズ２２は、例えば、光学ガラスで構成され、倍率２．５倍の凸レンズとしている。
枠部２１に接続する柄部２３には、人形の首に相当する位置にＬＥＤライト４が設けられ、内部に電池５が収納され、裏面側にはスイッチ６が設けられている。更に、柄部２３の内部には、スイッチ６と、電池５と、ＬＥＤライト４とを接続する配線が形成されている。
【００３２】
ＬＥＤライト４は、例えば、白色ＬＥＤライトとする。
また、ＬＥＤライト４は、レンズ２２の視野（レンズ２２を介して見える範囲）を照射可能な向きに固定されている。
【００３３】
本ルーペでは、レンズ２２とＬＥＤライト４とを同一のユニットとして構成することにより、本体１の胴体部１３が曲げ伸ばしされた場合に、レンズ２２とＬＥＤライト４とが連動して同じように向きを変えるため、常にＬＥＤ４によって視界を明るく保つことができるものである。
【００３４】
スイッチ回路は、スイッチ６及びそれに接続する配線から成り、スイッチ６は、本体１の背面部に設けられたスイッチボタンによって操作可能となっている。スイッチボタンによってスイッチ６をオン／オフすることにより、ＬＥＤライト４のオン／オフを切り替えるものである。
【００３５】
そして、レンズユニット２の柄部２３が、本体１の首部１２に設けられた挿入口に挿入され、枠部２１が本体１の頭部のレンズ窓１１にはめ込まれて固定され、本人形型ルーペを構成している。
尚、本体１の頭部１０の厚さは、レンズユニット２の枠部２１及びレンズ２２の厚さより大きく形成されている。
そのため、本ルーペを例えば机の上に寝かせて置いた場合に、レンズ２２の表面が机の表面に接してしまうことがなく、レンズ２２が傷つくのを防ぐことができるものである。
【００３６】
［カバー装着時：図１（ｂ）］
更に、本ルーペでは、非使用時にレンズ２２の表面を保護するカバー９を備えている。
カバー９は、本体１と同じシリコン樹脂製で、本体１の頭部１０のレンズ窓１１にぴったり収まり、カバー９を本体１に装着した場合に、頭部１０との間にあまり段差ができないような厚さに形成されている。
また、カバー９の表面には、同じ素材で、人の顔の表情が凹形状又は凸形状で描かれている。図１（ｂ）の例では笑顔としている。
【００３７】
これにより、本体１にカバー９を装着した場合には、人形が笑っているような外観となり、レンズを保護するだけでなく、ユーザを楽しい気持ちにすることができるものである。
また、カバー９の中心付近の鼻に相当する部分は、指でつまむことができる凸状の突起部が形成されており、ユーザがカバー９の鼻部分をつまんで着脱でき、更に、外した後は本体１の背面部の凹部に鼻部分を挿入して本体１に取り付けることができるようにしている。
【００３８】
［カバー装着方法：図２］
次に、本ルーペにおけるカバー装着方法について図２を用いて説明する。図２は、カバー装着方法を示す説明図である。
図２に示すように、カバー９には、外周部分に小さい突起部９１ａ，９１ｂ，９１ｃが設けられている。また、本体１のレンズ窓１１の内壁には、小さい凹部１７ａ，１７ｂ，１７ｃが形成されており、カバー９を本体１に装着するときに、突起部９１ａ，９１ｂ，９１ｃを凹部１７ａ，１７ｂ，１７ｃにはめ込んで装着する。
これにより、カバー９が意図せずに本体１から外れて紛失してしまうのを防ぐことができるものである。
【００３９】
［電池交換方法：図３］
次に、本ルーペにおける電池交換方法について図３を用いて説明する。図３は、電池交換方法を示す説明図である。
図３に示すように、本ルーペでは、本体１が容易に変形可能であるため、ユーザが手で本体１の頭部１０を変形させて、レンズユニット２を本体１の頭部１０から外し、レンズユニット２の柄部２３を本体１の首部１２から引き抜く。
そして、柄部２３の電池収納部（図示せず）に収納されている電池を交換する。
【００４０】
［本ルーペの使用例：図４］
次に、本ルーペの使用例について図４を用いて説明する。図４は、本ルーペの使用例を示す説明図である。
図４（ａ）に示すように、例えば、足部１６ａ，１６ｂの底面のマグネット７をスチール面に貼り付けて、支えがなくても自立するので、ユーザが本ルーペを保持せずに、ハンズフリーな状態で作業を行うことができるものである。
また、図４（ｂ）に示すように、照明付きのハンドルーペとして用いることもできる。
【００４１】
また、図４（ｃ）に示すように、カバー９を装着して、脚部１５ａ，１５ｂを前に折り曲げて、カード等を保持するスタンドとして利用することも可能である。
更に、図４（ｄ）に示すように、起立状態でスチール等の表面に自立させ、両腕部１４でめがねを保持させて、めがねスタンドとして利用することもできるものである。
このように、本ルーペでは、本体１の腕部１４ａ，１４ｂ、脚部１５ａ、１５ｂがそれぞれ独立して曲げ伸ばし可能であるため、自由に変形させて、ルーペ以外の多様な用途に利用することができるものである。
【００４２】
［カバー９のデザイン例：図５］
次に、本ルーペのカバー９の表面のデザイン例について図５を用いて説明する。図５は、カバー９の表面のデザイン例を示す図である。
図５に示すように、図１（ｂ）に示したデザイン以外にも、表情を表す様々なデザインが可能であり、親しみ易く、ユーザは好みに応じて自由に選択することができるものである。
【００４３】
［実施の形態の効果］
本考案の実施の形態に係る人形型ルーペによれば、頭部１０にレンズ２２を設け、首部１２にＬＥＤライト４を設け、本体１の内部に金属板８を設け、胴体部１３を曲げ伸ばし可能としてレンズ２２の向きを調整できるルーペとしているので、簡易な構成で、レンズ２２を容易に対象物のほうに向けることができ、また、視野を明るくして見やすくし、使い勝手を向上させることができ、更に、ユーモラスなデザインで親しみ易い効果がある。
【００４４】
また、本考案の実施の形態に係る人形型ルーペによれば、左右の腕部１４ａ，１４ｂ及び脚部１５ａ，１５ｂが独立して曲げ伸ばし可能であるため、ユーザが本ルーペの手足を自在に変形させて、好きな形とすることができ、ルーペ以外の多様な用途に適用することができる効果がある。
【産業上の利用可能性】
【００４５】
本考案は、簡易な構成でレンズを容易に対象物の方に向けることができると共に、視野を明るくして見やすくすることができ、使い勝手を向上させることができる人形型ルーペに適している。
【符号の説明】
【００４６】
１...本体、  ２...レンズユニット、  ４...ＬＥＤライト、  ５...電池、  ６...スイッチ、  ７...マグネット、  ８...金属板、  ９...カバー、  １０...頭部、  １１...レンズ窓、  １２...首部、  １３...胴体部、  １４...腕部、  １５...脚部、  １６...足部、  １７...凹部、  ２１...枠部、  ２２...レンズ、  ２３...柄部、  ９１...突起部
【図１】
0003191971.tif 000003
【図２】
0003191971.tif 000004
【図３】
0003191971.tif 000005
【図４】
0003191971.tif 000006
【図５】
0003191971.tif 000007
【手続補正書】
【提出日】平成26年5月27日(2014.5.27)
【手続補正１】
【補正対象書類名】実用新案登録請求の範囲
【補正対象項目名】全文
【補正方法】変更
【補正の内容】
【実用新案登録請求の範囲】
【請求項１】
人形型のルーペであって、
レンズを有する頭部と、ＬＥＤライトを有する首部と、胴体部と、腕部と、脚部と、足部とを備え、
前記胴体部は、変形可能な樹脂で形成され、前記樹脂の内部に変形可能な金属板が設けられており、
前記胴体部が曲げ伸ばしされることにより、前記レンズの向きを調整可能とすることを特徴とする人形型ルーペ。
【請求項２】
腕部と、脚部は、変形可能な樹脂で形成され、前記樹脂の内部に変形可能な金属板が設けられており、
左右の前記腕部と胴体部との間、及び左右の前記脚部の間に隙間が形成され、
左右の前記腕部、前記脚部をそれぞれ独立に曲げ伸ばし可能とすることを特徴とする請求項１記載の人形型ルーペ。
【請求項３】
足部の底面部に磁石が設けられたことを特徴とする請求項１又は２記載の人形型ルーペ。
【請求項４】
レンズとＬＥＤライトとがレンズユニットとして構成され、
前記レンズユニットは、前記レンズを保持する枠部と、前記枠部に接続する柄部とを備え、
前記柄部には前記ＬＥＤライトと、電池と、スイッチ回路とが設けられ、
首部に、前記柄部が挿入される挿入口が設けられたことを特徴とする請求項１乃至３のいずれか記載の人形型ルーペ。
【請求項５】
胴体部、腕部、脚部の内部に曲げ伸ばし可能な金属板が埋め込まれていることを特徴とする請求項１乃至４のいずれか記載の人形型ルーペ。
【請求項６】
頭部にはめ込まれ、レンズの片面を覆うカバーを備えたことを特徴とする請求項１乃至５のいずれか記載の人形型ルーペ。
【手続補正２】
【補正対象書類名】明細書
【補正対象項目名】０００８
【補正方法】変更
【補正の内容】
【０００８】
上記従来例の問題点を解決するための本考案は、人形型のルーペであって、レンズを有する頭部と、ＬＥＤライトを有する首部と、胴体部と、腕部と、脚部と、足部とを備え、胴体部は、変形可能な樹脂で形成され、樹脂の内部に変形可能な金属板が設けられており、胴体部が曲げ伸ばしされることにより、レンズの向きを調整可能とすることを特徴としている。
【手続補正３】
【補正対象書類名】明細書
【補正対象項目名】０００９
【補正方法】変更
【補正の内容】
【０００９】
また、本考案は、上記人形型ルーペにおいて、腕部と、脚部は、変形可能な樹脂で形成され、樹脂の内部に変形可能な金属板が設けられており、左右の腕部と胴体部との間、及び左右の脚部の間に隙間が形成され、左右の腕部、脚部をそれぞれ独立に曲げ伸ばし可能とすることを特徴としている。
【手続補正４】
【補正対象書類名】明細書
【補正対象項目名】００１４
【補正方法】変更
【補正の内容】
【００１４】
本考案によれば、人形型のルーペであって、レンズを有する頭部と、ＬＥＤライトを有する首部と、胴体部と、腕部と、脚部と、足部とを備え、胴体部は、変形可能な樹脂で形成され、樹脂の内部に変形可能な金属板が設けられており、胴体部が曲げ伸ばしされることにより、レンズの向きを調整可能とする人形型ルーペとしているので、簡易な構成でレンズを容易に対象物の方に向けることができると共に、視野を明るくして見やすくすることができ、使い勝手を向上させることができる効果がある。
【手続補正５】
【補正対象書類名】明細書
【補正対象項目名】００１５
【補正方法】変更
【補正の内容】
【００１５】
また、本考案によれば、腕部と、脚部は、変形可能な樹脂で形成され、樹脂の内部に変形可能な金属板が設けられており、左右の腕部と胴体部との間、及び左右の脚部の間に隙間が形成され、左右の腕部、脚部をそれぞれ独立に曲げ伸ばし可能とする上記人形型ルーペとしているので、手足を自在に変形させて、ルーペ以外の用途にも用いることができ、利便性を向上させることができる効果がある。